(57)【要約】【課題】スライド部材をスペーサに組付けるための別部品や後加工を必要とせずに組立てることのできる自動販売機の商品収納コラムを提供する。【解決手段】スライド部材５の一方の第１係合片５ａの第２係合片５ｂを一方の第１フランジ部４ｃの長孔４ｄに係合しながら他方の第１係合片５ａを他方の第１フランジ部４ｃ側に挿入することにより、スライド部材５をスペーサ４に組付けるようにしたので、スライド部材５をスペーサ４に組付けるための別部品や後加工を必要とせずに組立てることができる。これにより、部品点数を少なくすることができ、製造コストの低減を図ることができる。更に、組立作業を容易に行うことができるので、生産性の向上を図ることもできる。【選択図】図３
2007080068.tif 000002
【特許請求の範囲】
【請求項１】
互いに間隔をおいて対向する一対の側板と、各側板間に上下方向に延びるように形成された商品通路と、商品通路内の幅方向一端側に設けられ、商品通路に沿って上下方向に延びる通路幅調整用のスペーサと、スペーサに上下方向に移動自在に設けられたスライド部材と、一端を一方の側板に回動自在に連結され、スペーサを商品通路の幅方向に移動自在に支持する上下一対のリンク部材とを備え、各リンク部材の他端をそれぞれスライド部材に回動自在に連結するとともに、スペーサに上下方向に移動自在に係合し、スライド部材における各リンク部材間の上下方向所定箇所をスペーサに上下方向に移動自在に係合した自動販売機の商品収納コラムにおいて、
前記スペーサにおけるスライド部材との係合箇所に、スライド部材を間にして幅方向に対向する一対のフランジ部を設けるとともに、一方のフランジ部にスライド部材の移動方向に延びる長孔を設け、
スライド部材の幅方向両端に、スペーサの各フランジ部の間に挿入される幅方向一対の第１係合片を設けるとともに、一方の第１係合片にスペーサの長孔に係合する第２係合片をスライド部材の幅方向外側に屈曲するように設け、
一方の第１係合片の第２係合片を一方のフランジ部の長孔に係合しながら他方の第１係合片を他方のフランジ部側に挿入可能に形成した
ことを特徴とする自動販売機の商品収納コラム。
【請求項２】
前記スライド部材の他方の第１係合片を一方の第１係合片よりもスペーサの厚さ方向に長く形成した
ことを特徴とする請求項１記載の自動販売機の商品収納コラム。
【請求項３】
互いに間隔をおいて対向する一対の側板と、各側板間に上下方向に延びるように形成された商品通路と、商品通路内の幅方向一端側に設けられ、商品通路に沿って上下方向に延びる通路幅調整用のスペーサと、スペーサに上下方向に移動自在に設けられたスライド部材と、一端を一方の側板に回動自在に連結され、スペーサを商品通路の幅方向に移動自在に支持する上下一対のリンク部材とを備え、各リンク部材の他端をそれぞれスライド部材に回動自在に連結するとともに、スペーサに上下方向に移動自在に係合し、スライド部材における各リンク部材間の上下方向所定箇所をスペーサに上下方向に移動自在に係合した自動販売機の商品収納コラムにおいて、
前記スペーサにおけるスライド部材との係合箇所に、スライド部材を間にして幅方向に対向する一対のフランジ部を設けるとともに、各フランジ部にそれぞれスライド部材の移動方向に延びる長孔を設け、
スライド部材の幅方向両端に、スペーサの各フランジ部の間に挿入される幅方向一対の第１係合片を設けるとともに、各第１係合片にそれぞれスペーサの長孔に係合する第２係合片をスライド部材の幅方向外側に屈曲するように設け、
スライド部材の長手方向がスペーサの長手方向と交差する向きで各第２係合片を各フランジ部の間に挿入可能に形成するとともに、この挿入状態からスライド部材の長手方向がスペーサの長手方向と平行になる向きにすることにより各第２係合片が各フランジ部の長孔に係合するように形成した
ことを特徴とする自動販売機の商品収納コラム。
【請求項４】
互いに間隔をおいて対向する一対の側板と、各側板間に上下方向に延びるように形成された商品通路と、商品通路内の幅方向一端側に設けられ、商品通路に沿って上下方向に延びる通路幅調整用のスペーサと、スペーサに上下方向に移動自在に設けられたスライド部材と、一端を一方の側板に回動自在に連結され、スペーサを商品通路の幅方向に移動自在に支持する上下一対のリンク部材とを備え、各リンク部材の他端をそれぞれスライド部材に回動自在に連結するとともに、スペーサに上下方向に移動自在に係合し、スライド部材における各リンク部材間の上下方向所定箇所をスペーサに上下方向に移動自在に係合した自動販売機の商品収納コラムにおいて、
前記スペーサにおけるスライド部材との係合箇所に、スライド部材よりも大きい幅を有する開口部を設け、
スライド部材の幅方向両端に、スペーサの開口部に挿入される幅方向一対の第１係合片を設けるとともに、各第１係合片にそれぞれ開口部の幅方向両端側の縁部に係合する第２係合片をスライド部材の幅方向外側に屈曲するように設け、
スライド部材の長手方向がスペーサの長手方向と交差する向きで各第２係合片を開口部に挿入可能に形成するとともに、この挿入状態からスライド部材の長手方向がスペーサの長手方向と平行になる向きにすることにより各第２係合片が開口部の縁部に係合するように形成した
ことを特徴とする自動販売機の商品収納コラム。
【請求項５】
互いに間隔をおいて対向する一対の側板と、各側板間に上下方向に延びるように形成された商品通路と、商品通路内の幅方向一端側に設けられ、商品通路に沿って上下方向に延びる通路幅調整用のスペーサと、スペーサに上下方向に移動自在に設けられたスライド部材と、一端を一方の側板に回動自在に連結され、スペーサを商品通路の幅方向に移動自在に支持する上下一対のリンク部材とを備え、各リンク部材の他端をそれぞれスライド部材に回動自在に連結するとともに、スペーサに上下方向に移動自在に係合し、スライド部材における各リンク部材間の上下方向所定箇所をスペーサに上下方向に移動自在に係合した自動販売機の商品収納コラムにおいて、
前記スペーサにおけるスライド部材との係合箇所に、スライド部材をスペーサの一方の面側から他方の面側に挿通可能な開口部を設け、
スライド部材の幅方向両端に、スペーサの開口部に挿入される幅方向一対の第１係合片を設けるとともに、各第１係合片にそれぞれスペーサの一方の面側に係合する第２係合片をスライド部材の幅方向外側に屈曲するように設け、
スライド部材の長手方向一端側をスペーサの一方の面側から開口部に挿入してスペーサの他方の面側の長手方向一端側に係合可能に形成するとともに、この係合状態からスライド部材の長手方向他端側をスペーサの一方の面側から開口部に挿入してスペーサの他方の面側の長手方向他端側に係合することによりスライド部材の各第２係合片がそれぞれスペーサの一方の面側に係合するように形成した
ことを特徴とする自動販売機の商品収納コラム。
【発明の詳細な説明】
【技術分野】
【０００１】
本発明は、缶、ビンまたはペットボトル入り飲料を収納する自動販売機の商品収納コラムに関するものである。
【背景技術】
【０００２】
従来、この種の自動販売機の商品収納コラムとしては、互いに間隔をおいて対向する一対の側板と、各側板間に上下方向に延びるように形成された商品通路と、商品通路内の幅方向一端側に設けられ、商品通路に沿って上下方向に延びる通路幅調整用のスペーサと、スペーサに上下方向に移動自在に設けられたスライド部材と、スペーサを商品通路の幅方向に移動自在に支持する上下一対のリンク部材とを備え、スペーサを商品通路の幅方向任意の位置に移動することにより、商品のサイズに応じて商品通路の幅を調整するようにしたものが知られている。即ち、この商品収納コラムでは、各リンク部材の一端を一方の側板に回動自在に連結するとともに、その他端をスライド部材に回動自在に連結し、更に各リンク部材の他端をスペーサに上下方向に移動自在に連結することにより、スペーサを商品通路の幅方向に平行移動させるようになっている。
【０００３】
また、前記商品収納コラムにおいては、スライド部材をスペーサの補強部材としても機能させるために、スライド部材における各リンク部材間の上下方向所定箇所をスペーサに上下方向に移動自在に係合している。即ち、従来の商品収納コラムでは、図２０及び図２１に示すように、スペーサ１０におけるスライド部材１１との係合箇所に、スライド部材１１を間にして幅方向に対向する一対のフランジ部１０ａを設けるとともに、各フランジ部１０ａにそれぞれスライド部材１１の移動方向に延びる長孔１０ｂを設け、スライド部材１１の幅方向両端には、スペーサ１０の各フランジ部１１の間に係合する幅方向一対の係合片１１ａを設けるとともに、各長孔１０ｂを挿通する割ピン１２を各係合片１１ａ及びガイド板１３に連結することにより、スライド部材１１をスペーサ１０に移動自在に係合している。
【０００４】
しかしながら、前記商品収納コラムでは、スライド部材１１をスペーサ１０に連結するための割ピン１２及びガイド板１３を別部品として必要とするため、部品点数が増加し、製造コストが高くつくという問題がある。
【０００５】
そこで、別部品を用いずにスライド部材をスペーサに組付けるようにしたものとして、スペーサに上下方向に延びるスリットを設け、スライド部材に設けた係合片をスリットに挿入した後、係合片を折り曲げてスペーサに係合するようにしたものが知られている（例えば、特許文献１参照。）。
【特許文献１】特開２００３−２５６９２４号公報
【発明の開示】
【発明が解決しようとする課題】
【０００６】
しかしながら、前述のように係合片を折り曲げてスペーサに係合する構造では、係合片を折り曲げる後加工が必要となるため、組立作業が繁雑になり、生産性を低下させるという問題点があった。
【０００７】
本発明は前記問題点に鑑みてなされたものであり、その目的とするところは、スライド部材をスペーサに組付けるための別部品や後加工を必要とせずに組立てることのできる自動販売機の商品収納コラムを提供することにある。
【課題を解決するための手段】
【０００８】
本発明は前記目的を達成するために、互いに間隔をおいて対向する一対の側板と、各側板間に上下方向に延びるように形成された商品通路と、商品通路内の幅方向一端側に設けられ、商品通路に沿って上下方向に延びる通路幅調整用のスペーサと、スペーサに上下方向に移動自在に設けられたスライド部材と、一端を一方の側板に回動自在に連結され、スペーサを商品通路の幅方向に移動自在に支持する上下一対のリンク部材とを備え、各リンク部材の他端をそれぞれスライド部材に回動自在に連結するとともに、スペーサに上下方向に移動自在に係合し、スライド部材における各リンク部材間の上下方向所定箇所をスペーサに上下方向に移動自在に係合した自動販売機の商品収納コラムにおいて、前記スペーサにおけるスライド部材との係合箇所に、スライド部材を間にして幅方向に対向する一対のフランジ部を設けるとともに、一方のフランジ部にスライド部材の移動方向に延びる長孔を設け、スライド部材の幅方向両端に、スペーサの各フランジ部の間に挿入される幅方向一対の第１係合片を設けるとともに、一方の第１係合片にスペーサの長孔に係合する第２係合片をスライド部材の幅方向外側に屈曲するように設け、一方の第１係合片の第２係合片を一方のフランジ部の長孔に係合しながら他方の第１係合片を他方のフランジ部側に挿入可能に形成している。
【０００９】
これにより、一方の第１係合片の第２係合片を一方のフランジ部の長孔に係合しながら他方の第１係合片を他方のフランジ部側に挿入することにより、スライド部材がスペーサに組付けられることから、スライド部材をスペーサに組付けるための別部品や後加工を必要とせずに組立てることができる。
【００１０】
また、本発明は前記目的を達成するために、互いに間隔をおいて対向する一対の側板と、各側板間に上下方向に延びるように形成された商品通路と、商品通路内の幅方向一端側に設けられ、商品通路に沿って上下方向に延びる通路幅調整用のスペーサと、スペーサに上下方向に移動自在に設けられたスライド部材と、一端を一方の側板に回動自在に連結され、スペーサを商品通路の幅方向に移動自在に支持する上下一対のリンク部材とを備え、各リンク部材の他端をそれぞれスライド部材に回動自在に連結するとともに、スペーサに上下方向に移動自在に係合し、スライド部材における各リンク部材間の上下方向所定箇所をスペーサに上下方向に移動自在に係合した自動販売機の商品収納コラムにおいて、前記スペーサにおけるスライド部材との係合箇所に、スライド部材を間にして幅方向に対向する一対のフランジ部を設けるとともに、各フランジ部にそれぞれスライド部材の移動方向に延びる長孔を設け、スライド部材の幅方向両端に、スペーサの各フランジ部の間に挿入される幅方向一対の第１係合片を設けるとともに、各第１係合片にそれぞれスペーサの長孔に係合する第２係合片をスライド部材の幅方向外側に屈曲するように設け、スライド部材の長手方向がスペーサの長手方向と交差する向きで各第２係合片を各フランジ部の間に挿入可能に形成するとともに、この挿入状態からスライド部材の長手方向がスペーサの長手方向と平行になる向きにすることにより各第２係合片が各フランジ部の長孔に係合するように形成している。
【００１１】
これにより、スライド部材の長手方向がスペーサの長手方向と交差する向きで各第２係合片を各フランジ部の間に挿入し、この挿入状態からスライド部材の長手方向がスペーサの長手方向と平行になる向きにして各第２係合片を各フランジ部の長孔に係合することにより、スライド部材がスペーサに組付けられることから、スライド部材をスペーサに組付けるための別部品や後加工を必要とせずに組立てることができる。
【００１２】
また、本発明は前記目的を達成するために、互いに間隔をおいて対向する一対の側板と、各側板間に上下方向に延びるように形成された商品通路と、商品通路内の幅方向一端側に設けられ、商品通路に沿って上下方向に延びる通路幅調整用のスペーサと、スペーサに上下方向に移動自在に設けられたスライド部材と、一端を一方の側板に回動自在に連結され、スペーサを商品通路の幅方向に移動自在に支持する上下一対のリンク部材とを備え、各リンク部材の他端をそれぞれスライド部材に回動自在に連結するとともに、スペーサに上下方向に移動自在に係合し、スライド部材における各リンク部材間の上下方向所定箇所をスペーサに上下方向に移動自在に係合した自動販売機の商品収納コラムにおいて、前記スペーサにおけるスライド部材との係合箇所に、スライド部材よりも大きい幅を有する開口部を設け、スライド部材の幅方向両端に、スペーサの開口部に挿入される幅方向一対の第１係合片を設けるとともに、各第１係合片にそれぞれ開口部の幅方向両端側の縁部に係合する第２係合片をスライド部材の幅方向外側に屈曲するように設け、スライド部材の長手方向がスペーサの長手方向と交差する向きで各第２係合片を開口部に挿入可能に形成するとともに、この挿入状態からスライド部材の長手方向がスペーサの長手方向と平行になる向きにすることにより各第２係合片が開口部の縁部に係合するように形成している。
【００１３】
これにより、スライド部材の長手方向がスペーサの長手方向と交差する向きで各第２係合片をスペーサの開口部に挿入し、この挿入状態からスライド部材の長手方向がスペーサの長手方向と平行になる向きにして各第２係合片を開口部の縁部に係合することにより、スライド部材がスペーサに組付けられることから、スライド部材をスペーサに組付けるための別部品や後加工を必要とせずに組立てることができる。
【００１４】
また、本発明は前記目的を達成するために、互いに間隔をおいて対向する一対の側板と、各側板間に上下方向に延びるように形成された商品通路と、商品通路内の幅方向一端側に設けられ、商品通路に沿って上下方向に延びる通路幅調整用のスペーサと、スペーサに上下方向に移動自在に設けられたスライド部材と、一端を一方の側板に回動自在に連結され、スペーサを商品通路の幅方向に移動自在に支持する上下一対のリンク部材とを備え、各リンク部材の他端をそれぞれスライド部材に回動自在に連結するとともに、スペーサに上下方向に移動自在に係合し、スライド部材における各リンク部材間の上下方向所定箇所をスペーサに上下方向に移動自在に係合した自動販売機の商品収納コラムにおいて、前記スペーサにおけるスライド部材との係合箇所に、スライド部材をスペーサの一方の面側から他方の面側に挿通可能な開口部を設け、スライド部材の幅方向両端に、スペーサの開口部に挿入される幅方向一対の第１係合片を設けるとともに、各第１係合片にそれぞれスペーサの一方の面側に係合する第２係合片をスライド部材の幅方向外側に屈曲するように設け、スライド部材の長手方向一端側をスペーサの一方の面側から開口部に挿入してスペーサの他方の面側の長手方向一端側に係合可能に形成するとともに、この係合状態からスライド部材の長手方向他端側をスペーサの一方の面側から開口部に挿入してスペーサの他方の面側の長手方向他端側に係合することによりスライド部材の各第２係合片がそれぞれスペーサの一方の面側に係合するように形成している。
【００１５】
これにより、スライド部材の長手方向一端側をスペーサの一方の面側から開口部に挿入してスペーサの他方の面側の長手方向一端側に係合し、この係合状態からスライド部材の長手方向他端側をスペーサの一方の面側から開口部に挿入してスペーサの他方の面側の長手方向他端側に係合することにより、スライド部材の各第２係合片がそれぞれスペーサの一方の面側に係合し、スライド部材がスペーサに組付けられることから、スライド部材をスペーサに組付けるための別部品や後加工を必要とせずに組立てることができる。
【発明の効果】
【００１６】
本発明によれば、スライド部材をスペーサに組付けるための別部品や後加工を必要とせずに組立てることができるので、部品点数を少なくすることができるとともに、組立作業を容易に行うことができ、製造コストの低減及び生産性の向上を図ることができる。
【発明を実施するための最良の形態】
【００１７】
図１乃至図６は本発明の第１の実施形態を示すもので、図１は商品収納コラムの概略側面図、図２はその一部省略正面図、図３はスペーサ及びスライド部材の分解斜視図、図４はその組付状態を示す斜視図、図５はその要部正面図、図６はその組付工程を示す横断面図である。
【００１８】
この商品収納コラムは、互いに左右方向に間隔をおいて対向する一対の側板１と、各側板１間に形成された商品通路２と、商品通路２を間にして前後方向に対向する複数の円弧板３と、商品通路２内の幅方向一端側に配置された通路幅調整用のスペーサ４と、スペーサ４に上下方向に移動自在に設けられたスライド部材５と、スペーサ４を商品通路の幅方向に移動自在に支持する上下一対のリンク部材６とを備え、商品通路２の幅方向他端側の側板１とスペーサ４との間に商品Ａを収納するようになっている。
【００１９】
各側板１は商品通路２の両側面をなすように配置され、一方の側板１にはリンク部材６の一端側が回動自在に連結されている。
【００２０】
商品通路２は上下方向に延びるように形成され、その下端には商品通路２内の商品Ａを一個ずつ落下搬出する周知の商品搬出機構２ａが設けられている。
【００２１】
各円弧板３は商品通路２の外側に凸状をなすように湾曲し、上端を各側板１に回動自在に支持されている。各円弧板３は商品通路２の前方及び後方にそれぞれ上下方向に多数配列され、各円弧板３によって蛇行状の商品通路２が形成されている。
【００２２】
スペーサ４は商品通路２に沿って上下方向に延びる板状の部材からなり、その幅方向両端側はそれぞれＬ字状に屈曲している。また、スペーサ４の幅方向中央側には上下方向に延びる凹部４ａが設けられ、凹部４ａはスペーサ４の幅方向中央側をコ字状に屈曲することにより形成されている。また、凹部４ａの上下方向中央側には、スライド部材５よりも大きい幅を有する開口部４ｂが上下方向に延びるように設けられている。開口部４ｂの幅方向両側にはスライド部材５が係合する幅方向一対の第１フランジ部４ｃがスペーサ４の厚さ方向に突設され、一方の第１フランジ部４ｃには上下方向に延びる長孔４ｄが設けられている。スペーサ４の上端側及び下端側にはそれぞれ各リンク部材６の他端が係合する第２フランジ部４ｅが設けられ、各第２フランジ部４ｅには上下方向に延びる長孔４ｆが設けられている。また、スペーサ４の上端は商品投入口側に設けられた幅調整機構７に連結されている。
【００２３】
スライド部材５はスペーサ４に沿って上下方向に延びる板状の部材からなり、その幅方向両端側はそれぞれスペーサ４側に向かってＬ字状に屈曲している。スライド部材５の幅方向両端には、スペーサ４の各第１フランジ部４ｃの間に係合する幅方向一対の第１係合片５ａが設けられ、一方の第１係合片５ａにはスペーサ４の長孔４ｄに上下方向に移動自在に係合する第２係合片５ｂがスライド部材５の幅方向外側に屈曲するように設けられている。また、スライド部材５の上端側及び下端側には、それぞれ各リンク部材５の他端を連結する連結部５ｃが設けられている。
【００２４】
各リンク部材６は、一端を一方の側板１に支軸６ａを介して回動自在に連結され、その他端はスライド部材５の連結部５ｃに支軸６ｂを介して回動自在に連結されている。この場合、支軸６ｂはスペーサ４の第２フランジ部４ｅの長孔４ｆに挿入され、第２フランジ部４ｅに上下方向に移動自在に係合している。
【００２５】
以上のように構成された商品収納コラムにおいては、幅調整機構７を収納商品Ａの幅に合わせて幅方向に移動すると、スペーサ４が幅調整機構７と共に各側板１間を幅方向に移動し、商品通路２の幅が商品Ａのサイズに応じて調整される。その際、スペーサ４は上下一対のリンク部材６に支持されていることから、各リンク部材６の回動及びスライド部材５の上下動により、スペーサ４が側板１に対して平行移動する。その際、スライド部材５の第２係合片５ｂがスペーサ４の第１フランジ部４ｃの長孔４ｄに係合しているので、スライド部材５が補強部材となってスペーサ４の上下方向中央側の撓みが防止される。
【００２６】
また、前記商品収納コラムの組立時において、スライド部材５をスペーサ４に組付ける場合は、図６(a) に示すようにスライド部材５を一方の第１係合片５ａ側からスペーサ４の各第１フランジ部４ｃ間に挿入し、第２係合片５ｂを一方の第１フランジ部４ｃの長孔４ｄに係合しながら他方の第１係合片５ａを他方の第１フランジ部４ｃ側に挿入することにより、図６(b) に示すようにスライド部材５の各第１係合片５ａが各第１フランジ部４ｃ間に係合し、スライド部材５がスペーサ４に組付けられる。
【００２７】
このように、本実施形態の商品収納コラムによれば、スライド部材５の一方の第１係合片５ａの第２係合片５ｂを一方の第１フランジ部４ｃの長孔４ｄに係合しながら他方の第１係合片５ａを他方の第１フランジ部４ｃ側に挿入することにより、スライド部材５をスペーサ４に組付けるようにしたので、スライド部材５をスペーサ４に組付けるための別部品や後加工を必要とせずに組立てることができる。これにより、部品点数を少なくすることができ、製造コストの低減を図ることができる。更に、組立作業を容易に行うことができるので、生産性の向上を図ることもできる。
【００２８】
尚、前記実施形態では、スライド部材５の一方の第１係合片５ａに第２係合片５ｂを設け、他方の第１係合片５ａを一方の第１係合片５ａとほぼ同等の長さに形成したものを示したが、図７(a) に示すように他方の第１係合片５ａを一方の第１係合片５ａよりも所定長さＬだけ長く形成すれば、図７(b) に示すように他方の第１係合片５ａの先端が第１フランジ部４ｃに係止し、図中実線矢印方向へのスライド部材５の捻れを防止することができる。尚、組付けの際には、他方の第１係合片５ａを内側に弾性変形させながらスライド部材５をスペーサ４に係合すればよい。
【００２９】
図８乃至図１１は本発明の第２の実施形態を示すもので、図８はスペーサ及びスライド部材の分解斜視図、図９はその組付状態を示す斜視図、図１０はその組付工程を示す要部正面図、図１１はその組付工程を示す横断面図である。尚、前記実施形態と同等の構成部分には同一の符号を付して示す。
【００３０】
本実施形態では、スペーサ４の各第１フランジ部４ｃにそれぞれ上下方向に延びる長孔４ｇが設けられ、スライド部材５の各第１係合片５ａにはそれぞれスペーサ４の長孔４ｇに上下方向に移動自在に係合する第２係合片５ｄがスライド部材５の幅方向外側に屈曲するように設けられている。この場合、各第２係合片５ｄの幅Ｗ1 はスペーサ４の開口部４ｂの幅Ｗ2 よりも小さく形成され、長孔４ｇの幅Ｗ3 は前記実施形態の長孔４ｄよりも大きい寸法に形成されている。
【００３１】
本実施形態の商品収納コラムにおいて、スライド部材５をスペーサ４に組付ける場合は、図１０(a) 及び図１１(a) に示すようにスライド部材５をスペーサ４の長手方向と交差する向きにして、スライド部材５の各第２係合片５ｄをスペーサ４の開口部４ｂに挿入する。次に、図１０(b) 及び図１１(b) に示すようにスライド部材５を回転させてスペーサ４の長手方向と平行な向きにすることにより、スライド部材５の各第２係合片５ｄをスペーサ４の各長孔４ｇにそれぞれ係合し、図１１(c) に示すようにスライド部材５をスペーサ４の厚さ方向に移動することにより、スライド部材５がスペーサ４に組付けられる。
【００３２】
このように、本実施形態の商品収納コラムによれば、スライド部材５をスペーサ４の長手方向と交差する向きにしてスライド部材５の各第２係合片５ｄをスペーサ４の開口部４ｂに挿入した後、スライド部材５をスペーサ４の長手方向と平行な向きになるように回転させてスライド部材５の各第２係合片５ｄをスペーサ４の各長孔４ｇにそれぞれ係合することにより、スライド部材５をスペーサ４に組付けるようにしたので、前記実施形態と同様、スライド部材５をスペーサ４に組付けるための別部品や後加工を必要とせずに組立てることができる。
【００３３】
図１２乃至図１５は本発明の第３の実施形態を示すもので、図１２はスペーサ及びスライド部材の分解斜視図、図１３はその組付状態を示す斜視図、図１４はその組付工程を示す要部正面図、図１５はその組付工程を示す横断面図である。尚、前記実施形態と同等の構成部分には同一の符号を付して示す。
【００３４】
本実施形態では、スペーサ４に第２係合片５ｄを係合するフランジ部が設けられておらず、各第２係合片５ｄがスペーサ４の開口部４ｂにおける幅方向両端側の縁部４ｈに係止するようになっている点で第２の実施形態と異なる。
【００３５】
本実施形態の商品収納コラムにおいて、スライド部材５をスペーサ４に組付ける場合は、図１４(a) 及び図１５(a) に示すようにスライド部材５をスペーサ４の長手方向と交差する向きにして、スライド部材５の各第２係合片５ｄをスペーサ４の開口部４ｂに挿入する。次に、図１４(b) 及び図１５(b) に示すようにスライド部材５を回転させてスペーサ４の長手方向と平行な向きにすることにより、スライド部材５の各第２係合片５ｄを開口部４ｂの各縁部４ｈにそれぞれ係合し、図１５(c) に示すようにスライド部材５をスペーサ４の厚さ方向に移動することにより、スライド部材５がスペーサ４に組付けられる。
【００３６】
このように、本実施形態の商品収納コラムによれば、スライド部材５をスペーサ４の長手方向と交差する向きにしてスライド部材５の各第２係合片５ｄをスペーサ４の開口部４ｂに挿入した後、スライド部材５をスペーサ４の長手方向と平行な向きになるように回転させてスライド部材５の各第２係合片５ｄを開口部４ｂの各縁部４ｈにそれぞれ係合することにより、スライド部材５をスペーサ４に組付けるようにしたので、前記実施形態と同様、スライド部材５をスペーサ４に組付けるための別部品や後加工を必要とせずに組立てることができる。
【００３７】
図１６乃至図１９は本発明の第４の実施形態を示すもので、図１６はスペーサ及びスライド部材の分解斜視図、図１７はその組付状態を示す斜視図、図１８はその要部正面図、図１９はその横断面図である。尚、前記実施形態と同等の構成部分には同一の符号を付して示す。
【００３８】
本実施形態では、スライド部材５の各第１係合片５ａにそれぞれスペーサ４に上下方向に移動自在に係合する第２係合片５ｅがスライド部材５の幅方向外側に屈曲するように設けられている。また、前記実施形態とは異なり、スペーサ４には第２係合片５ｅを係合するフランジ部が設けられておらず、各第２係合片５ｅはスペーサ４の開口部４ｂにおける幅方向両端側の縁部４ｈに係止するようになっている。
【００３９】
本実施形態の商品収納コラムにおいて、スライド部材５をスペーサ４に組付ける場合は、図１６に示すようにスライド部材５の長手方向一端側をスペーサ４の一方の面側から開口部４ｂに挿入しながらスペーサ４の長手方向一端側に移動してスペーサ４の他方の面側の凹部４ａに係合した後、スライド部材５の長手方向他端側をスペーサ４の一方の面側から開口部４ｂに挿入しながらスペーサ４の長手方向他端側に移動してスペーサ４の他方の面側の凹部４ａに係合することにより、スライド部材５の各第２係合片５ｅがそれぞれスペーサ４の一方の面側における開口部４ｂの各縁部４ｈにそれぞれ係止し、スライド部材５がスペーサ４に組付けられる。
【００４０】
このように、本実施形態の商品収納コラムによれば、スライド部材５の長手方向一端側及び他端側をそれぞれスペーサ４の一方の面側から開口部４ｂに挿入してスペーサ４の他方の面側に係合し、スライド部材５の各第２係合片５ｅをスペーサ４の一方の面側に係止することにより、スライド部材５をスペーサ４に組付けるようにしたので、前記実施形態と同様、スライド部材５をスペーサ４に組付けるための別部品や後加工を必要とせずに組立てることができる。
【図面の簡単な説明】
【００４１】
【図１】本発明の第１の実施形態を示す商品収納コラムの概略側面図
【図２】商品収納コラムの一部省略正面図
【図３】スペーサ及びスライド部材の分解斜視図
【図４】スペーサ及びスライド部材の組付状態を示す斜視図
【図５】スペーサ及びスライド部材の要部正面図
【図６】スペーサ及びスライド部材の組付工程を示す横断面図
【図７】第１の実施形態の変形例を示すスペーサ及びスライド部材の横断面図
【図８】本発明の第２の実施形態を示すスペーサ及びスライド部材の分解斜視図
【図９】スペーサ及びスライド部材の組付状態を示す斜視図
【図１０】スペーサ及びスライド部材の組付工程を示す要部正面図
【図１１】スペーサ及びスライド部材の組付工程を示す横断面図
【図１２】本発明の第３の実施形態を示すスペーサ及びスライド部材の分解斜視図
【図１３】スペーサ及びスライド部材の組付状態を示す斜視図
【図１４】スペーサ及びスライド部材の組付工程を示す要部正面図
【図１５】スペーサ及びスライド部材の組付工程を示す横断面図
【図１６】本発明の第４の実施形態を示すスペーサ及びスライド部材の分解斜視図
【図１７】スペーサ及びスライド部材の組付状態を示す斜視図
【図１８】スペーサ及びスライド部材の要部正面図
【図１９】スペーサ及びスライド部材の横断面図
【図２０】従来のスペーサ及びスライド部材の要部正面図
【図２１】従来のスペーサ及びスライド部材の横断面図
【符号の説明】
【００４２】
１…側板、２…商品通路、４…スペーサ、４ｂ…開口部、４ｃ…第１フランジ部、４ｄ，４ｇ…長孔、４ｈ…縁部、５…スライド部材、５ａ…第１係合片、５ｂ，５ｄ，５ｅ…第２係合片。
【図１】
2007080068.tif 000003
【図２】
2007080068.tif 000004
【図３】
2007080068.tif 000005
【図４】
2007080068.tif 000006
【図５】
2007080068.tif 000007
【図６】
2007080068.tif 000008
【図７】
2007080068.tif 000009
【図８】
2007080068.tif 000010
【図９】
2007080068.tif 000011
【図１０】
2007080068.tif 000012
【図１１】
2007080068.tif 000013
【図１２】
2007080068.tif 000014
【図１３】
2007080068.tif 000015
【図１４】
2007080068.tif 000016
【図１５】
2007080068.tif 000017
【図１６】
2007080068.tif 000018
【図１７】
2007080068.tif 000019
【図１８】
2007080068.tif 000020
【図１９】
2007080068.tif 000021
【図２０】
2007080068.tif 000022
【図２１】
2007080068.tif 000023